(57)【要約】【課題】外出前の準備段階で忘れられている持ち物を報知する。【解決手段】車両１の運転者が外出する際、持込物検出部９が、運転者の現在の持ち物を検出し、忘れ物判断部１０が、外出履歴ＤＢ６を参照して、過去の外出時の持ち物と現在の持ち物とを比較することにより忘れ物があるか否かを判断する。そして、忘れ物があると判断した場合、忘れ物判断部１０が、警報装置５を制御することにより、忘れ物がある旨を運転者に報知する。これにより、車両１の走行開始前に忘れ物の存在を運転者に報知し、運転者が出先で忘れ物に気づいて困ることを防止できる。【選択図】図１
2005173989.tif 000002
【特許請求の範囲】
【請求項１】
車両の乗員が車両内に持ち込んだ持ち物を検出する持込物検出手段と、
前記車両の外出先を検出する位置検出手段と、
前記持込物検出手段が検出した持ち物の情報と前記位置検出手段が検出した外出先の情報とを関連付けして記憶する記憶手段と、
前記持込物検出手段が持ち物を検出するのに応じて、検出された持ち物の情報と前記記憶手段が記憶している持ち物の情報とに基づいて、前記乗員が忘れ物をしているか否かを判断する忘れ物判断手段と、
前記忘れ物判断手段が乗員が忘れ物をしていると判断するのに応じて、忘れ物があることを乗員に報知する警報手段と
を備えることを特徴とする忘れ物警報装置。
【請求項２】
前記忘れ物判断手段は、持込物検出手段が検出した持ち物の情報と記憶手段が記憶している持ち物の情報とを外出先毎に比較し、持込物検出手段が検出した持ち物の組み合わせと同じ、若しくは、類似する持ち物の組み合わせに対応する外出先を特定し、特定した外出先に過去に外出した際の持ち物に含まれ、持込物検出手段が検出した持ち物には含まれない持ち物を忘れ物と判断することを特徴とする請求項１に記載の忘れ物警報装置。
【請求項３】
前記記憶手段は、外出時刻及び外出頻度を記憶し、前記忘れ物判断手段は、外出時刻及び外出頻度を考慮して、前記乗員が忘れ物をしているか否かを判断することを特徴とする請求項１又は請求項２に記載の忘れ物警報装置。
【請求項４】
前記警報手段は、忘れ物の名称を報知することを特徴とする請求項１から請求項３のうち、いずれか１項に記載の忘れ物警報装置。
【請求項５】
前記忘れ物判断手段は、忘れ物として報知した持ち物が忘れ物ではないと乗員から指示されるのに応じて、前記記憶手段が記憶している情報を修正することを特徴とする請求項１から請求項４に記載の忘れ物警報装置。
【請求項６】
前記持込物検出手段は、持ち物に備え付けられ、固有の識別子を記憶するＩＣタグと通信することにより、車両内に持ち込まれた持ち物を検出することを特徴とする請求項１から請求項５のうち、いずれか１項に記載の忘れ物警報装置。
【請求項７】
車両の乗員が車両内に持ち込んだ持ち物を検出する持込物検出手段と、車両の外出先を検出する位置検出手段と、持込物検出手段が検出した持ち物の情報と位置検出手段が検出した外出先の情報とを送信する送信手段を有する、車両側に設けられた車両側装置と、
前記車両の乗員が建物から外出する際の持ち物を検出する持ち物検出手段と、前記送信手段が送信した持ち物の情報と外出先の情報とを関連付けして記憶する記憶手段と、持ち物検出手段が持ち物を検出するのに応じて、検出された持ち物の情報と記憶手段が記憶する持ち物の情報とに基づいて、乗員が忘れ物をしているか否かを判断する忘れ物判断手段と、忘れ物判断手段が乗員が忘れ物をしていると判断するのに応じて、忘れ物があることを乗員に報知する警報手段とを有する、建物側に設けられた建物側装置と
を備えることを特徴とする忘れ物警報装置。
【請求項８】
前記忘れ物判断手段は、持ち物検出手段が検出した持ち物の情報と記憶手段が記憶している持ち物の情報とを外出先毎に比較し、持ち物検出手段が検出した持ち物の組み合わせと同じ、若しくは、類似する持ち物の組み合わせに対応する外出先を特定し、特定した外出先に過去に外出した際の持ち物に含まれ、持ち物検出手段が検出した持ち物には含まれない持ち物を忘れ物と判断することを特徴とする請求項７に記載の忘れ物警報装置。
【請求項９】
前記記憶手段は、外出時刻及び外出頻度を記憶し、前記忘れ物判断手段は、外出時刻及び外出頻度を考慮して、前記乗員が忘れ物をしているか否かを判断することを特徴とする請求項７又は請求項８に記載の忘れ物警報装置。
【請求項１０】
前記警報手段は、忘れ物の名称を報知することを特徴とする請求項７から請求項９のうち、いずれか１項に記載の忘れ物警報装置。
【請求項１１】
前記忘れ物判断手段は、忘れ物として報知した持ち物が忘れ物ではないと乗員から指示されるのに応じて、前記記憶手段が記憶している情報を修正することを特徴とする請求項７から請求項１０に記載の忘れ物警報装置。
【請求項１２】
前記持込物検出手段及び前記持ち物検出手段は、持ち物に備え付けられ、固有の識別子を記憶するＩＣタグと通信することにより、車両内及び建物内に持ち込まれた持ち物を検出することを特徴とする請求項７から請求項１１のうち、いずれか１項に記載の忘れ物警報装置。
【発明の詳細な説明】
【技術分野】
【０００１】
本発明は、外出時にユーザが忘れ物をすることを防止する忘れ物警報装置に関し、より詳しくは、外出前の準備段階でユーザが忘れている持ち物を報知可能にする技術に係わる。
【背景技術】
【０００２】
従来より、持ち物に装着された端末装置と検出器とが所定時間毎に通信を行い、所定時間以上経過しても端末装置からの返信がない場合、持ち物が近くに無いと判断して警報を発するシステムが知られている。そして、このようなシステムによれば、ユーザは、警報を聞くことにより、端末装置を装着した持ち物を忘れたり，紛失したりすることを防止できる（例えば、特許文献１を参照）。
【特許文献１】特開２００１−２４３５６９号公報（段落［００２０］，図１）
【発明の開示】
【発明が解決しようとする課題】
【０００３】
しかしながら、従来までのシステムは、検出器に登録された端末装置との間の通信の可否に従ってユーザが忘れ物をしているか否かを判断する構成となっているために、検出器に端末装置を登録する時点、換言すれば、外出前の準備段階において既にユーザが忘れている持ち物に対しては、警報を発し、忘れ物を防止することができない。
【０００４】
本発明は、上記課題を解決するためになされたものであり、その目的は、外出前の準備段階で忘れられている持ち物についても警報を発することが可能な、忘れ物警報装置を提供することにある。
【課題を解決するための手段】
【０００５】
上述の課題を解決するために、本発明に係る忘れ物警報装置は、外出時の持ち物を検出し、検出された持ち物の情報と過去の外出時の持ち物の情報とに基づいて、忘れ物があるか否かを判断する。
【発明の効果】
【０００６】
本発明に係る忘れ物警報装置によれば、車両走行前や自宅から外出する前等、外出前の準備段階でユーザが忘れている持ち物を報知することができる。
【発明を実施するための最良の形態】
【０００７】
以下、図面を参照して、本発明の第１及び第２の実施形態となる忘れ物警報装置の構成と動作について詳しく説明する。
【実施例１】
【０００８】
本発明の第１の実施形態となる忘れ物警報装置は、車両の走行開始前に忘れ物の存在を運転者に報知する処理に適用することができる。以下、図１〜図５を参照して、本発明の第１の実施形態となる忘れ物警報装置の構成と動作について説明する。
【０００９】
［忘れ物警報装置の構成］
本発明の第１の実施形態となる忘れ物警報装置は、図１に示すように、車両１に搭載され、ＧＰＳ（Global Positioning System）２，車両ドア部アンテナ３，車両制御部４，警報装置５，及び外出履歴データベース（ＤＢ）６を主な構成要素として備える。なお、図示しないが、この忘れ物警報装置は、目的地までの経路案内を出力することにより運転者を目的地まで誘導するナビゲーション装置に接続され、目的地を設定したり，ナビゲーション装置の表示モニタに情報を出力する等、ナビゲーション装置を利用した情報処理が可能なように構成されている。
【００１０】
上記ＧＰＳ２は、車両１の位置情報として車両１が位置する緯度と経度を検出し、検出した位置情報を車両制御部４に入力する。また、上記車両ドア部アンテナ３は、車両１のドア周部やトランク開口部周辺に備えられ、運転者が車両１内に持ち物７を持ち込んだ際に、持ち物７に取り付けられているＩＣタグ８と無線通信することにより、持ち物７に固有に割り当てられたＩＤ（識別子）を取得する。そして、車両ドア部アンテナ３は、取得したＩＤを車両制御部４に入力する。
【００１１】
上記車両制御部４は、車両ドア部アンテナ３から入力されたＩＤを参照して、車両１内に持ち込まれた持ち物７を検出，特定する持込物検出部９と、持込物検出部９が検出した持ち物７と外出履歴ＤＢ６内に記憶された情報とを比較することにより、運転者が忘れ物をしていないか否かを判断する忘れ物判断部１０とを備える。なお、この持込物検出部９と忘れ物判断部１０の機能をコンピュータプログラムにより規定し、このコンピュータプログラムを情報処理装置に実行させることにより、持込物検出部９及び忘れ物判断部１０の機能をソフトウェア的に実現するようにしてもよい。
【００１２】
上記警報装置５は、上記忘れ物判断部１０が運転者が忘れ物をしていると判断した場合、警報を発することにより、忘れ物があることを車両の走行開始前に運転者に報知する。また、上記外出履歴ＤＢ６は、図２に示すように、車両１を利用した外出時（以下、トリップと表記）の日時，行き先（行き先の緯度／経度，付近の施設名），持ち物，外出目的（例えば、買い物，通院，送迎等），及び頻度の情報をトリップ（トリップ＃１〜トリップ＃５）毎に記憶し、これらの情報は車両制御部４によって読み取り／書き換え可能なように構成されている。
【００１３】
なお、上記持込物検出部９，ＧＰＳ２，外出履歴ＤＢ６，忘れ物判断部１０，及び警報装置５はそれぞれ、本発明に係る持込物検出手段，位置検出手段，記憶手段，忘れ物判断手段，及び警報手段として機能する。
【００１４】
［忘れ物警報装置の動作］
このような構成を有する忘れ物警報装置は、以下に示す警報処理を実行することにより、忘れ物の存在を車両１の走行開始前に運転者に報知する。以下、図３，４に示すフローチャートを参照して、この警報処理を実行する際の忘れ物警報装置の動作について詳しく説明する。
【００１５】
図３に示すフローチャートは、忘れ物警報装置の電源がオン状態になるのに応じて開始となり、この警報処理はステップＳ１の処理に進む。
【００１６】
ステップＳ１の処理では、車両ドア部アンテナ３が、持ち物７に取り付けられたＩＣタグ８との無線通信の可否に従って、車両１内に持ち物７が持ち込まれたか否かを判断する。そして、車両１内に持ち物７が持ち込まれたと判断するのに応じて、車両ドア部アンテナ３は、この警報処理をステップＳ２の処理に進める。
【００１７】
ステップＳ２の処理では、車両ドア部アンテナ３が、車両１内に持ち込まれた全ての持ち物７のＩＣタグ８からＩＤを取得し、取得したＩＤを持込物検出部９に入力する。そして、車両ドア部アンテナ３からＩＤが入力されるのに応じて、持込物検出部９は、車両ドア部アンテナ３から入力されたＩＤに従って車両１内に持ち込まれた全ての持ち物７を特定し、特定した全ての持ち物７とその検出時刻の情報を忘れ物判断部１０に入力する。これにより、このステップＳ２の処理は完了し、この警報処理はステップＳ２の処理からステップＳ３の処理に進む。
【００１８】
ステップＳ３の処理では、忘れ物判断部１０が、外出履歴ＤＢ６を参照して、入力された持ち物の組み合わせが同じ、若しくは、類似する過去のトリップを抽出し、抽出したトリップの外出目的を選定する。具体的には、外出履歴ＤＢ６が図２に示す形態を有し、持込物検出部９が「財布」，「携帯電話」，「買い物袋」，「車の鍵」を検出した場合、忘れ物判断部１０は、持ち物の組み合わせが同じ、若しくは、類似するトリップ＃１，＃３，＃５を抽出し、これらのトリップの外出目的「買い物」を選定する。なお、外出目的を選定する際、忘れ物判断部１０は、現在時刻と過去の外出時刻を比較したり、外出頻度を参照する等して、今回のトリップが定期的なトリップであるか否かを判別し、この判別結果に従って外出目的を推定してもよい。これにより、このステップＳ３の処理は完了し、この警報処理はステップＳ３の処理からステップＳ４の処理に進む。
【００１９】
ステップＳ４の処理では、忘れ物判断部１０が、外出履歴ＤＢ６を参照して、選定された外出目的の時に車両１内に持ち込まれた持ち物７の情報を抽出する。具体的には、外出履歴ＤＢ６が図２に示す形態を有し、外出目的として「買い物」が選定された場合、忘れ物判断部１０は、「財布」，「携帯電話」，「買い物袋」，「車の鍵」，「子供の携帯電話」を持ち物７の情報として抽出する。これにより、このステップＳ４の処理は完了し、この警報処理はステップＳ４の処理からステップＳ５の処理に進む。
【００２０】
ステップＳ５の処理では、忘れ物判断部１０が、持込物検出部９が検出した持ち物の情報と外出履歴ＤＢ６から抽出された持ち物の情報とを比較する。これにより、このステップＳ５の処理は完了し、この警報処理はステップＳ５の処理からステップＳ６の処理に進む。
【００２１】
ステップＳ６の処理では、忘れ物判断部１０が、ステップＳ５の比較処理の結果、持込物検出部９が検出した持ち物の情報と外出履歴ＤＢ６から抽出された持ち物の情報との間に差異があるか否かを判別する。そして、差異がない場合、忘れ物判断部１０は、運転者は忘れ物をしていないと判断し、警報処理をステップＳ６の処理からステップＳ１０の処理に進める。一方、差異がある場合には、忘れ物判断部１０は、運転者は忘れ物をしていると判断し、警報処理をステップＳ６の処理からステップＳ７の処理に進める。
【００２２】
ステップＳ７の処理では、忘れ物判断部１０が、警報装置５を制御することにより、外出履歴ＤＢ６から抽出された持ち物には含まれが、持込物検出部９が検出した持ち物には含まれない持ち物（不足持ち物）の名称を忘れ物として報知し、運転者に忘れ物がある旨を報知する。具体的には、外出履歴ＤＢ６から「財布」，「携帯電話」，「買い物袋」，「車の鍵」，「子供の携帯電話」が抽出され、持込物検出部９が「財布」，「携帯電話」，「買い物袋」，「車の鍵」を検出した場合には、忘れ物判断部１０は、警報装置５を制御することにより、「子供の携帯電話」を忘れ物として報知する。これにより、このステップＳ７の処理は完了し、この警報処理はステップＳ７の処理からステップＳ８の処理に進む。
【００２３】
ステップＳ８の処理では、忘れ物判断部１０が、報知した持ち物が忘れ物であるか否か、、若しくは、ステップＳ３の処理において選定した外出目的が今回の外出目的と同じであるか否かを運転者に確認するメッセージを出力することにより、報知した持ち物が忘れ物であるか否か、若しくは、ステップＳ３の処理において選定した外出目的が今回の外出目的と同じであるか否かを判別する。そして、運転者が、報知された持ち物が忘れ物である、若しくは、ステップＳ３の処理において選定された外出目的が今回の外出目的と同じであると指示した場合、忘れ物判断部１０は、この警報処理をステップＳ１の処理に戻す。一方、運転者が、報知した持ち物が忘れ物ではない、若しくは、ステップＳ３の処理において選定した外出目的が今回の外出目的と異なると指示した場合には、忘れ物判断部１０は、この警報処理をステップＳ９の処理に進める。
【００２４】
ステップＳ９の処理では、忘れ物判断部１０が、ステップＳ３の処理において選定した外出目的が間違っていると判断して、外出履歴ＤＢ６を修正するように、ステップＳ２の処理において検出した持ち物とその検出時刻の情報を新たなトリップの情報として外出履歴ＤＢ６に記憶する。これにより、このステップＳ９の処理は完了し、この警報処理はステップＳ９の処理からステップＳ１３の処理に進む。
【００２５】
ステップＳ１０の処理では、忘れ物判断部１０が、外出履歴ＤＢ６を参照してステップＳ３の処理において選定した外出目的に対応する行き先を抽出し、今回の外出時の行き先が抽出した行き先と同じであるか否かを運転者に確認するメッセージを出力する。そして、運転者が今回の外出時の行き先が抽出した行き先と異なると指示した場合、忘れ物判断部１０は、ステップＳ１１の処理として、選定した外出目的の次に可能性が高い外出目的を次の外出目的の候補として外出履歴ＤＢ６から選定した後、警報処理をステップＳ４の処理に戻す。一方、運転者が今回の外出時の行き先が抽出した行き先と同じであると指示した場合には、忘れ物判断部１０は、ステップＳ１２の処理として、抽出した行き先を目的地として経路案内を開始するようにナビゲーション装置を設定した後、警報処理をステップＳ１３の処理に進める。
【００２６】
ステップＳ１３の処理では、忘れ物判断部１０が、上記ステップＳ１の処理において検出された全ての持ち物の情報とその検出時刻を外出履歴ＤＢ６に記憶する。これにより、このステップＳ１３の処理は完了し、この警報処理はステップＳ１３の処理からステップＳ１４の処理に進む。
【００２７】
ステップＳ１４の処理では、忘れ物判断部１０が、車両１のイグニッション（ＩＧＮ）スイッチがオフ状態になったか否かを判別する。そして、イグニッションスイッチがオフ状態になるのに応じて、忘れ物判断部１０は、この警報処理をステップＳ１４の処理からステップＳ１５の処理に進める。
【００２８】
ステップＳ１５の処理では、忘れ物判断部１０が、ＧＰＳ２を制御することにより、車両１の現在位置を検出する。これにより、このステップＳ１５の処理は完了し、この警報処理はステップＳ１５の処理からステップＳ１６の処理に進む。
【００２９】
ステップＳ１６の処理では、忘れ物判断部１０が、ステップＳ１５の処理において検出した車両１の現在位置に従って、車両１が自宅以外の位置に存在するか否かを判別する。そして、判別の結果、車両１が自宅位置に存在する場合、忘れ物判断部１０は、運転者はどこにも寄らずに帰宅したと判断し、一連の警報処理を終了する。一方、車両１が自宅以外の位置に存在する場合には、忘れ物判断部１０は、現在位置が今回の外出の目的地（行き先）であると判断し、警報処理をステップＳ１６の処理からステップＳ１７の処理に進める。
【００３０】
ステップＳ１７の処理では、忘れ物判断部１０が、上記ステップＳ１５の処理において検出した車両１の現在位置の情報を行き先情報としてステップＳ１３の処理において記憶した持ち物とその検出時刻の情報と共に記憶する。これにより、このステップＳ１７の処理は完了し、この警報処理はステップＳ１７の処理からステップＳ１８の処理に進む。
【００３１】
ステップＳ１８の処理では、忘れ物判断部１０が、外出履歴ＤＢ６を参照して、今回の外出と同じ持込物で、且つ、同じ行き先のトリップが既に記憶されているか否かを判別する。そして、判別の結果、同じ持込物で、且つ、同じ行き先のトリップが既に記憶されている場合、忘れ物判断部１０は、警報処理をステップＳ１８の処理からステップＳ２０の処理に進める。一方、同じ持込物で、且つ、同じ行き先のトリップが既に記憶されていない場合には、忘れ物判断部１０は、警報処理をステップＳ１８の処理からステップＳ１９の処理に進める。
【００３２】
ステップＳ１９の処理では、忘れ物判断部１０が、今回の外出の行き先付近の施設を検索することにより今回の外出の外出目的を推定し、推定された外出目的をステップＳ１７の処理において記憶した情報と共に新たなトリップとして記憶する。なお、この推定処理は、例えば、行き先が「店舗」であれば外出目的は「買い物」等のように、行き先と外出目的を対応付けしたテーブルデータを参照することにより実行することができる。これにより、このステップＳ１７の処理は完了し、一連の警報処理は終了する。
【００３３】
ステップＳ２０の処理では、忘れ物判断部１０が、同じ持込物で、且つ、同じ行き先のトリップの頻度値を１増数し、ステップＳ１７の処理により記憶した情報を削除する。これにより、このステップＳ２０の処理は完了し、一連の警報処理は終了する。
【００３４】
以上の説明から明らかなように、本発明の第１の実施形態となる忘れ物警報装置では、図５に示すように、車両１の運転者１１が持ち物ａ，ｂをもって外出する際、持込物検出部９が、運転者１１の持ち物ａ，ｂを検出し、忘れ物判断部１０が、外出履歴ＤＢ６を参照して、今回の外出時の持ち物の組み合わせと類似した持ち物の組み合わせの外出履歴があるか否かを判別する。そして、運転者１１が同じような時間帯に持ち物ａ，ｂと持ち物ｃを持って外出した外出履歴が過去にある場合、忘れ物判断部１０は、警報装置５を制御することにより、現在携帯していない持ち物ｃを忘れていないか否かを運転者１１に報知する。
【００３５】
すなわち、本発明の第１の実施形態となる忘れ物警報装置によれば、忘れ物判断部１０が、過去の外出時の持ち物と現在の持ち物とに基づいて運転者１１が忘れ物をしているか否かを判断し、忘れ物をしていると判断した場合、警報装置５を制御することにより、忘れ物がある旨を運転者１１に報知する。そして、このような構成によれば、車両１の走行開始前に運転者１１に忘れ物の存在を報知し、運転者１１が出先で忘れ物に気づき困ることを防止できる。また、過去の外出履歴を参照して忘れ物の有無を判断するので、運転者１１固有の持ち物の忘れ物を防止することができる。
【００３６】
また、本発明の第１の実施形態となる忘れ物警報装置によれば、忘れ物判断部１０が、過去の外出時の持ち物と今回の外出時の持ち物とを比較し、その差異に従って今回の外出時の忘れ物を推定するので、定期的な外出で毎回同じ物を持っていくような外出時の忘れ物を高精度で検出することができる。
【００３７】
さらに、本発明の第１の実施形態となる忘れ物警報装置によれば、忘れ物判断部１０が、外出時の持ち物に加えて、外出時刻や外出頻度を考慮して今回の外出時の忘れ物を推定するので、定期的な外出で毎回同じ物を持っていくような外出時の忘れ物を高精度で検出，報知することができる。
【００３８】
また、本発明の第１の実施形態となる忘れ物警報装置によれば、忘れ物判断部１０が、忘れ物として検出された持ち物の名称を報知することにより運転者１１に忘れ物を報知するので、運転者１１は警報された持ち物が何かを速やかに認識し、持ち物が複数ある場合であっても、何を忘れているのかを容易に理解することができる。
【００３９】
さらに、本発明の第１の実施形態となる忘れ物警報装置によれば、忘れ物判断部１０が、運転者１１が忘れ物として報知した持ち物は忘れ物ではないと指示するのに応じて、外出履歴ＤＢ６の内容を修正するので、装置を使用していくのに従って忘れ物の検出精度を高めていくことができる。
【実施例２】
【００４０】
本発明の第２の実施形態となる忘れ物警報装置は、車両の運転者が自宅から外出する前に運転者に忘れ物の存在を報知する処理に適用することができる。以下、図６〜図９を参照して、本発明の第２の実施形態となる忘れ物警報装置の構成と動作について説明する。
【００４１】
［忘れ物警報装置の構成］
本発明の第２の実施形態となる忘れ物警報装置は、車両１側と車両１の運転者の自宅建物（以下、建物と略記）２１側に搭載され、車両１側に設けられたＧＰＳ２，車両ドア部アンテナ３，車両制御部４，及び車両通信機１１と、建物２１側に設けられた建物ドア部アンテナ２２，建物制御部２３，警報装置２４，外出履歴ＤＢ２５、及び自宅通信機２６とを備える。
【００４２】
上記車両制御部４は、車両ドア部アンテナ３から入力されたＩＤを参照して、車両１内に持ち込まれた持ち物７を検出する持込物検出部９を備える。また、上記車両通信機１１は、ＧＰＳ２が検出した車両１の位置情報と持込物検出部９が検出した持ち物の情報とを自宅通信機２６に送信する。なお、上記ＧＰＳ２と車両ドア部アンテナ３の構成は、本発明の第１の実施形態となる忘れ物警報装置におけるそれと同じ構成であるので、その説明は省略する。
【００４３】
上記建物ドア部アンテナ２２は、建物２１のドア周部に備え付けられ、運転者が建物２１から外出する際、運転者の持ち物７に取り付けられたＩＣタグ８と無線通信することにより、持ち物７に固有に割り当てられたＩＤを取得する。そして、建物ドア部アンテナ２２は、取得したＩＤを建物制御部２３に入力する。また、上記建物制御部２３は、建物ドア部アンテナ２２から入力されたＩＤを参照して、運転者が建物２１から外出する際の持ち物７を検出する持ち物検出部２７と、外出履歴ＤＢ２５の内容を参照して運転者が忘れ物をしているか否かを判断する忘れ物判断部２８を備える。
【００４４】
上記警報装置２４は、上記建物制御部２３からの指示に従って警報を発することにより、忘れ物があることを建物２１から外出する前に運転者に報知する。また、上記自宅通信機２６は、上記車両通信機１１から送信される、車両１の位置情報と持ち物の情報とを受信し、受信した情報を外出履歴ＤＢ２５に記憶する。なお、上記外出履歴ＤＢ２５の構成は、本発明の第１の実施形態となる忘れ物警報装置におけるそれと同じ構成であるので、その説明は省略する。また、持ち物検出部２７と忘れ物判断部２８の機能をコンピュータプログラムにより規定し、このコンピュータプログラムを情報処理装置に実行させることにより、持ち物検出部２７及び忘れ物判断部２８の機能をソフトウェア的に実現するようにしてもよい。
【００４５】
なお、上記持込物検出部９，ＧＰＳ２，車両通信機１１，外出履歴ＤＢ６，持ち物検出部２７，忘れ物判断部２８，及び警報装置２４はそれぞれ、本発明に係る持込物検出手段，位置検出手段，送信手段，記憶手段，持ち物検出手段，忘れ物判断手段，及び警報手段として機能する。
【００４６】
［忘れ物警報装置の動作］
このような構成を有する忘れ物警報装置は、以下に示す警報処理を実行することにより、忘れ物の存在を建物２１から外出する前に運転者に報知する。以下、図７，８に示すフローチャートを参照して、この警報処理を実行する際の忘れ物警報装置の動作について説明する。
【００４７】
図７に示すフローチャートは、忘れ物警報装置の電源がオン状態になるのに応じて開始となり、この警報処理はステップＳ３１の処理に進む。
【００４８】
ステップＳ３１の処理では、建物ドア部アンテナ２２が、持ち物７に取り付けられたＩＣタグ８との無線通信の可否に従って、運転者が建物２１から外出するか否かを判断する。そして、運転者が建物２１から外出すると判断するのに応じて、建物ドア部アンテナ２２は、この警報処理をステップＳ３２の処理に進める。
【００４９】
ステップＳ３２の処理では、建物ドア部アンテナ２２が、運転者の全ての持ち物７のＩＣタグ８からＩＤを取得し、取得したＩＤを持ち物検出部２７に入力する。そして、持ち物検出部２７は、建物ドア部アンテナ２２から入力されたＩＤに従って運転者の全ての持ち物７を特定し、特定した全ての持ち物７とその検出時刻の情報を忘れ物判断部２８に入力する。これにより、このステップＳ３２の処理は完了し、この警報処理はステップＳ３２の処理からステップＳ３３の処理に進む。
【００５０】
ステップＳ３３の処理では、忘れ物判断部２８が、外出履歴ＤＢ２５を参照して、入力された持ち物の組み合わせが同じ、若しくは、類似する過去のトリップを抽出し、抽出したトリップの外出目的を選定する。これにより、このステップＳ３３の処理は完了し、この警報処理はステップＳ３３の処理からステップＳ３４の処理に進む。
【００５１】
ステップＳ３４の処理では、忘れ物判断部２８が、外出履歴ＤＢ２５を参照して、選定された外出目的の時に運転者が車両１内に持ち込んだ持ち物の情報を抽出する。これにより、このステップＳ３４の処理は完了し、この警報処理はステップＳ３４の処理からステップＳ３５の処理に進む。
【００５２】
ステップＳ３５の処理では、忘れ物判断部２８が、持ち物検出部２７が検出した持ち物の情報と外出履歴ＤＢ２５から抽出された持ち物の情報とを比較する。これにより、このステップＳ３５の処理は完了し、この警報処理はステップＳ３５の処理からステップＳ３６の処理に進む。
【００５３】
ステップＳ３６の処理では、忘れ物判断部２８が、ステップＳ３５の比較処理の結果、持ち物検出部２７が検出した持ち物の情報と外出履歴ＤＢ２５から抽出された持ち物の情報との間に差異があるか否かを判別する。そして、差異がない場合、忘れ物判断部２８は、運転者は忘れ物をしていないと判断し、警報処理をステップＳ３６の処理からステップＳ４０の処理に進める。一方、差異がある場合には、忘れ物判断部２８は、運転者は忘れ物をしていると判断し、警報処理をステップＳ３６の処理からステップＳ３７の処理に進める。
【００５４】
ステップＳ３７の処理では、忘れ物判断部２８が、警報装置２４を制御することにより、外出履歴ＤＢ２５から抽出された持ち物に含まれるが、持ち物検出部２７が検出した持ち物には含まれない持ち物（不足持ち物）の名称を忘れ物として報知し、運転者に忘れ物がある旨を報知する。これにより、このステップＳ３７の処理は完了し、この警報処理はステップＳ３７の処理からステップＳ３８の処理に進む。
【００５５】
ステップＳ３８の処理では、忘れ物判断部２８が、報知した持ち物が忘れ物であるか否か、若しくは、ステップＳ３３の処理において選定した外出目的が今回の外出目的と同じであるか否かを運転者に確認するメッセージを出力することにより、報知した持ち物が忘れ物であるか否か、若しくは、ステップＳ３３の処理において選定した外出目的が今回の外出目的と同じであるか否かを判別する。そして、運転者が、報知された持ち物が忘れ物である、若しくは、ステップＳ３３の処理において選定された外出目的が今回の外出目的と同じであると指示した場合、忘れ物判断部１０は、この警報処理をステップＳ１の処理に戻す。一方、運転者が、報知された持ち物が忘れ物ではない、若しくは、ステップＳ３３の処理において選定された外出目的が今回の外出目的と異なると指示した場合には、忘れ物判断部２８は、この警報処理をステップＳ３９の処理に進める。
【００５６】
ステップＳ３９の処理では、忘れ物判断部２８が、ステップＳ３３の処理において選定した外出目的が間違っていると判断して、外出履歴ＤＢ６を修正するように、ステップＳ３２の処理において検出した持ち物とその検出時刻の情報を新たなトリップの情報として外出履歴ＤＢ２５に記憶する。これにより、このステップＳ３９の処理は完了し、この警報処理はステップＳ３９の処理からステップＳ４３の処理に進む。
【００５７】
ステップＳ４０の処理では、忘れ物判断部２８が、外出履歴ＤＢ２５を参照してステップＳ３３の処理において選定した外出目的に対応する行き先を抽出し、今回の外出時の行き先が抽出した行き先と同じであるか否かを運転者に確認するメッセージを出力する。そして、運転者が今回の外出時の行き先が抽出した行き先と異なると指示した場合、忘れ物判断部２８は、ステップＳ４１の処理として、選定した外出目的の次に可能性が高い外出目的を次の外出目的の候補として外出履歴ＤＢ２５から選定した後、警報処理をステップＳ３４の処理に戻す。一方、運転者が今回の外出時の行き先が抽出した行き先と同じであると指示した場合には、忘れ物判断部２８は、ステップＳ４２の処理として、抽出した行き先を目的地として経路案内を開始するようにナビゲーション装置を設定した後、警報処理をステップＳ４３の処理に進める。
【００５８】
ステップＳ４３の処理では、車両ドア部アンテナ３が、持ち物７に取り付けられたＩＣタグ８との無線通信の可否に従って、車両１内に持ち物７が持ち込まれたか否かを判断する。そして、車両１内に持ち物７が持ち込まれたと判断するのに応じて、車両ドア部アンテナ３は、この警報処理をステップＳ４４の処理に進める。
【００５９】
ステップＳ４４の処理では、車両ドア部アンテナ３が、車両１内に持ち込まれた全ての持ち物７のＩＣタグ８からＩＤを取得し、取得したＩＤを持込物検出部９に入力する。そして、持込物検出部９は、車両ドア部アンテナ３から入力されたＩＤに従って車両１内に持ち込まれた全ての持ち物７を特定し、特定した全ての持ち物７とその検出時刻の情報を車両通信機１１と自宅通信機２６を介して外出履歴ＤＢ２５に記憶する。これにより、このステップＳ４４の処理は完了し、この警報処理はステップＳ４４の処理からステップＳ４５の処理に進む。
【００６０】
ステップＳ４５の処理では、車両制御部４が、車両１のイグニッションスイッチがオフ状態になったか否かを判別する。そして、イグニッションスイッチがオフ状態になるのに応じて、車両制御部４は、この警報処理をステップＳ４５の処理からステップＳ４６の処理に進める。
【００６１】
ステップＳ４６の処理では、車両制御部４が、ＧＰＳ２を制御することにより、車両１の現在位置を検出する。これにより、このステップＳ４６の処理は完了し、この警報処理はステップＳ４６の処理からステップＳ４７の処理に進む。
【００６２】
ステップＳ４７の処理では、車両制御部４が、ステップＳ４６の処理において検出した車両１の現在位置に従って車両１が自宅以外の位置に存在するか否かを判別する。そして、判別の結果、車両１が自宅位置に存在する場合、車両制御部４は、運転者はどこにも寄らずに帰宅したと判断し、一連の警報処理を終了する。一方、車両１が自宅以外の位置に存在する場合には、車両制御部４は、現在位置が今回の外出の目的地（行き先）であると判断し、警報処理をステップＳ４７の処理からステップＳ４８の処理に進める。
【００６３】
ステップＳ４８の処理では、車両制御部４が、上記ステップＳ４６の処理において検出した車両１の現在位置の情報を行き先情報としてステップＳ４４の処理において記憶した持ち物とその検出時刻の情報と共に、車両通信機１１と自宅通信機２６を介して外出履歴ＤＢ２５に記憶する。これにより、このステップＳ４８の処理は完了し、この警報処理はステップＳ４８の処理からステップＳ４９の処理に進む。
【００６４】
ステップＳ４９の処理では、忘れ物判断部２８が、外出履歴ＤＢ２５を参照して、今回の外出と同じ持込物で、且つ、同じ行き先のトリップが既に記憶されているか否かを判別する。そして、判別の結果、同じ持込物で、且つ、同じ行き先のトリップが既に記憶されている場合、忘れ物判断部２８は、警報処理をステップＳ４９の処理からステップＳ５１の処理に進める。一方、同じ持込物で、且つ、同じ行き先のトリップが既に記憶されていない場合には、忘れ物判断部２８は、警報処理をステップＳ４９の処理からステップＳ５０の処理に進める。
【００６５】
ステップＳ５０の処理では、忘れ物判断部２８が、今回の外出の行き先付近の施設を検索することにより今回の外出の外出目的を推定し、推定された外出目的をステップＳ４８の処理において記憶した情報と共に新たなトリップとして記憶する。これにより、このステップＳ４８の処理は完了し、一連の警報処理は終了する。
【００６６】
ステップＳ５１の処理では、忘れ物判断部２８が、同じ持込物で、且つ、同じ行き先のトリップの頻度値を１増数し、ステップＳ４８の処理により記憶した情報を削除する。これにより、このステップＳ５１の処理は完了し、一連の警報処理は終了する。
【００６７】
以上の説明から明らかなように、本発明の第２の実施形態となる忘れ物警報装置では、図９に示すように、車両１の運転者１１が持ち物ａ，ｂをもって外出する際、持ち物検出部２７が、運転者１１の持ち物ａ，ｂを検出し、忘れ物判断部２８が、外出履歴ＤＢ２５を参照して、今回の外出時の持ち物の組み合わせと類似した持ち物の組み合わせの外出履歴があるか否かを判別する。そして、運転者１１が同じような時間帯に持ち物ａ，ｂと持ち物ｃを持って外出した外出履歴が過去にある場合、忘れ物判断部２８は、警報装置２４を制御することにより、現在携帯していない持ち物ｃを忘れていないか否かを運転者１１に報知する。
【００６８】
すなわち、本発明の第２の実施形態となる忘れ物警報装置によれば、忘れ物判断部２８が、過去の外出時の持ち物と現在の持ち物とに基づいて運転者１１が忘れ物をしているか否かを判断し、忘れ物をしていると判断した場合、警報装置２４を制御することにより、忘れ物がある旨を運転者１１に報知する。そして、このような構成によれば、建物２１からの外出時に運転者１１に忘れ物の存在を報知し、運転者１１が車両１で忘れ物に気づき困ることを防止できる。また、過去の外出履歴を参照して忘れ物の有無を判断するので、運転者１１固有の持ち物の忘れ物を防止することができる。
【００６９】
また、本発明の第２の実施形態となる忘れ物警報装置によれば、忘れ物判断部２８が、過去の外出時の持ち物と今回の外出時の持ち物とを比較し、その差異に従って今回の外出時の忘れ物を推定するので、定期的な外出で毎回同じ物を持っていくような外出時の忘れ物を高精度で検出することができる。
【００７０】
さらに、本発明の第２の実施形態となる忘れ物警報装置によれば、忘れ物判断部２８が、外出時の持ち物に加えて、外出時刻や外出頻度を考慮して今回の外出時の忘れ物を推定するので、定期的な外出で毎回同じ物を持っていくような外出時の忘れ物を高精度で検出，報知することができる。
【００７１】
また、本発明の第２の実施形態となる忘れ物警報装置によれば、忘れ物判断部２８が、忘れ物として検出された持ち物の名称を報知することにより運転者１１に忘れ物を報知するので、運転者１１は警報された持ち物が何かを速やかに認識し、持ち物が複数ある場合であっても、何を忘れているのかを容易に理解することができる。
【００７２】
さらに、本発明の第２の実施形態となる忘れ物警報装置によれば、忘れ物判断部２８が、運転者１１が忘れ物として報知した持ち物は忘れ物ではないと指示するのに応じて、外出履歴ＤＢ６の内容を修正するので、装置を使用していくのに従って忘れ物の検出精度を高めていくことができる。
【００７３】
以上、本発明者らによってなされた発明を適用した実施の形態について説明したが、この実施の形態による本発明の開示の一部をなす論述及び図面により本発明は限定されることはない。例えば、上記外出履歴ＤＢ６，２５内に、病院や店舗等の施設の休業日を併せて記憶し、施設の休業日に施設への外出が指示された場合、施設が休業日である旨を運転者に報知するようにしてもよい。これにより、運転者が休業している施設に出向くことを防止ができる。また、車のキーや携帯電話機等、運転者が携帯可能な装置に外出履歴ＤＢ６，２５を設けるようにしてもよい。これにより、運転者の個人情報を車両外や建物外で無線通信する必要がなくなるので、セキュリティの高いシステムを構築することができる。さらに、目的地までの経路を自動設定する際、目的地までの渋滞情報を併せてナビゲーション装置に表示することが望ましい。これにより、目的地や目的地に至るまでの経路を運転者の判断で変更したり、外出そのものの時間を変更する等して、効率的に外出することができる。このように、この実施の形態に基づいて当業者等によりなされる他の実施の形態、実施例及び運用技術等は全て本発明の範疇に含まれることは勿論であることを付け加えておく。
【図面の簡単な説明】
【００７４】
【図１】本発明の第１の実施の形態となる忘れ物警報装置の構成を示すブロック図である。
【図２】図１に示す外出履歴データベースの一例を示す図である。
【図３】図１に示す忘れ物警報装置による警報処理の流れを示すフローチャート図である。
【図４】図１に示す忘れ物警報装置による警報処理の流れを示すフローチャート図である。
【図５】図１に示す忘れ物警報装置により得られる技術的効果を説明するための図である。
【図６】本発明の第２の実施の形態となる忘れ物警報装置の構成を示すブロック図である。
【図７】図６に示す忘れ物警報装置による警報処理の流れを示すフローチャート図である。
【図８】図６に示す忘れ物警報装置による警報処理の流れを示すフローチャート図である。
【図９】図６に示す忘れ物警報装置による技術的効果により得られる説明するための図である。
【符号の説明】
【００７５】
１：車両
２：ＧＰＳ（Global Positioning System）
３：車両ドア部アンテナ
４：車両制御部
５，２４：警報装置
６，２５：外出履歴データベース（ＤＢ）
７：持ち物
８：ＩＣタグ
９：持込物検出部
１０，２８：忘れ物判断部
１１：車両通信機
２１：建物
２２：建物ドア部アンテナ
２６：自宅通信機
２７：持ち物検出部
【図１】
2005173989.tif 000003
【図２】
2005173989.tif 000004
【図３】
2005173989.tif 000005
【図４】
2005173989.tif 000006
【図５】
2005173989.tif 000007
【図６】
2005173989.tif 000008
【図７】
2005173989.tif 000009
【図８】
2005173989.tif 000010
【図９】
2005173989.tif 000011